(57)【要約】【課題】壁厚の比較的薄い壁本体であっても、安定した状態で容易に移動させることができ、設置後はキャスタユニットを邪魔にならない位置に収納させることができるようにする。【解決手段】壁本体２の壁面４の左右下部には支持部材１５が開閉自在に支持されており、壁本体２を移動させるに際しては、支持部材１５を開き、内側に設けられているキャスタ本体２０の車輪を下方へ突出させて移動させる。そして移動後はキャスタ本体２０を支持部材１５の内側に没入させ、支持部材１５を壁面４に形成されている収容凹部１６に収容する。【選択図】図１
2011094447.tif 000002
【特許請求の範囲】
【請求項１】
室内を仕切る壁本体と、
前記壁本体の底部に設けられて該壁本体を移動させる移動体と
を備える移動式壁において、
前記壁本体の両壁面の下部に前記移動体を保持する支持部材が設けられ、
前記支持部材が前記壁本体に対して開閉自在に支持されており、
前記支持部材が開状態にあるとき前記移動体が該支持部材の下部から突出され、該支持部材が閉状態にあるとき前記移動体が該支持部材と前記壁本体との対向面間に形成された収容部に収容される
ことを特徴とする移動式壁。
【請求項２】
前記支持部材がプレート状に形成されており、前記壁面に該支持部材を収容する凹部が形成されていると共に、該凹部に前記収容部が形成されており、該凹部に該支持部材を収容すると、該支持部材の表面が前記壁面とほぼ同一面となる
ことを特徴とする請求項１記載の移動式壁。
【請求項３】
前記壁本体内、及び該壁本体の上面と前記室内の天井面との間に防音材が充填されている
ことを特徴とする請求項１或いは２記載の移動式壁。
【発明の詳細な説明】
【技術分野】
【０００１】
本発明は、壁厚の比較的薄い壁本体であっても容易に移動させることのできる移動式壁に関する。
【背景技術】
【０００２】
従来、戸建住宅や集合住宅においては、子供の成長、家族構成の変化、部屋の使用目的の変更などに応じて、部屋の広さを可変できるようにした移動式壁が種々提案されている。同様に、商用ビルにおいても各階のフロアーを使用目的に応じて自在に区画することのできる移動式壁が提案されている。
【０００３】
例えば特許文献１（特開平１０−３３９０６１号公報）には、壁本体の底部に、昇降自在なキャスタと壁本体を床に固定する固定具とを設け、移動時にはキャスタを壁本体の底面から突出させて所定の位置に移動させ、キャスタを壁本体内に没入させた後、固定具で床に固定する技術が開示されている。
【発明の概要】
【発明が解決しようとする課題】
【０００４】
しかし、上述した文献に開示されている技術では、キャスタが壁本体の底部から突没するだけの構造であるため、壁本体の壁厚が薄い場合、安定性が悪く、移動時に傾倒しやすいと云う問題がある。
【０００５】
これに対処するに、移動式間仕切り等で採用されているように、キャスタを、壁本体の壁面方向からＴ字状に突出させた支持部材に支持させることで安定性を確保することも考えられる。しかし、壁本体を固定した状態においても支持部材が壁面から突出した状態となっているため、壁面の前に書棚やキャビネット等を設置する際に、この支持部材が邪魔となり、使い勝手が悪い問題がある。
【０００６】
本発明は、上記事情に鑑み、壁厚の比較的薄い壁本体であっても、この壁本体に設けられている移動体によって安定した状態で容易に移動させることができるばかりでなく、設置後は当該移動体が邪魔にならない位置に収納させることができて使い勝っての良い移動式壁を提供することを目的とする。
【課題を解決するための手段】
【０００７】
上記目的を達成するため本発明は、室内を仕切る壁本体と、前記壁本体の底部に設けられて該壁本体を移動させる移動体とを備える移動式壁において、前記壁本体の両壁面の下部に前記移動体を保持する支持部材が設けられ、前記支持部材が前記壁本体に対して開閉自在に支持されており、前記支持部材が開状態にあるとき前記移動体が該支持部材の下部から突出され、該支持部材が閉状態にあるとき前記移動体が該支持部材と前記壁本体との対向面間に形成された収容部に収容されることを特徴とする。
【発明の効果】
【０００８】
本発明によれば、壁本体を移動させるに際しては、壁本体の両壁面の下部に設けられている支持部材を開き、この支持部材の下部から移動体を突出させて移動させる。開いた状態の支持部材から移動体が突出されているため、壁本体を安定した姿勢で容易に移動させることができる。そして、所定位置に壁本体を設置した際は、支持部材を閉じ、この支持部材とこの支持部材に対向する壁本体との対向面に設けた収容部に移動体を収容するので、設置後は移動体が邪魔にならず、使い勝手が良い。
【図面の簡単な説明】
【０００９】
【図１】移動式壁の斜視図
【図２】移動式壁の一部断面正面図
【図３】図２のIII-III断面図
【図４】図３の状態別の断面図
【図５】支持部材に支持されているキャスタユニットの正面図
【図６】支持部材に支持されているキャスタユニットの側面図
【図７】キャスタユニットを収容する状態の正面図
【図８】図２のVIII−VIII断面図
【発明を実施するための形態】
【００１０】
以下、図面に基づいて本発明の一実施形態を説明する。図１に示すように、本実施形態による移動式壁１の壁本体２は、枠体３と、この枠体３の両面を覆う対向一対の壁面４とを有し、枠体３が底面フレーム３ａと一対の側面フレーム３ｂと上面フレーム３ｃとで形成されている。更に、この壁本体２内に防音断熱材５（図３、図４参照）が装填されている。この防音断熱材５は、発泡ウレタン樹脂等からなる防音性、断熱性を有する芯材の両面をアルミニウム合金等からなる薄板材で挟んだ積層構造を有しており、この薄板材が壁面４に当接されている，
更に、図１、図２に示すように、壁本体２の底面２ｃ側の中央と、上面２ｄ側の対象な位置にボルト螺装用孔部２ａが、両壁面４を貫通して各々開口されており、この各ボルト螺装用孔部２ａに露呈する底面フレーム３ａと上面フレーム３ｃとに、ボルト挿通孔６が穿設されている。又、この壁面４に開口されているボルト螺装用孔部２ａが開閉自在な蓋体４ａで閉塞されいている。
【００１１】
又、移動式壁１を設置する室内７の床面７ａと天井面７ｂとに、ボルト挿通孔６に挿通されるボルト８が螺入されるアンカーナット１０が埋設されている。尚、このアンカーナット１０は、予め、対応する床面７ａ及び天井面７ｂに埋設しておいても良いが、移動式壁１を移動させる都度に、移動後の所定位置に埋設するようにしても良い。
【００１２】
又、両壁面４の上縁部に、上方隙間閉塞板１１が配設されている。この上方隙間閉塞板１１は、壁本体２の上面と室内７の天井面７ｂとの間に形成される空隙１３を閉塞するもので、下端が貫通されたＵ字状のねじ挿通溝１１ａが複数箇所（図においては３箇所）に形成されており、このねじ挿通溝１１ａを介してねじ部材１２が、上面フレーム３ｃに螺入されている。更に、上面フレーム３ｃと天井面７ｂとの間に形成される空隙１３に、防音断熱材１４が装填される。この防音断熱材１４は、壁本体２に装填されている防音断熱材５と同じ積層構造を有しており、芯材の両面に貼り合わされている薄板材が、上面フレーム３ｃと天井面７ｂとに当接される。
【００１３】
又、両壁面４の両側下部に、プレート状に形成された支持部材１５が設けられ、壁面４には、この支持部材１５を収容する収容凹部１６が形成されている。尚、この支持部材１５、及び収容凹部１６は左右対象な形状を有しているため。本実施形態では、同一の符号を付して説明する。
【００１４】
各支持部材１５は略直角三角形状をなし、底辺１５ａに直交する立辺１５ｂが、壁本体２の壁面４と側面２ｂとの稜部にヒンジ９を介して回動自在に支持されている。支持部材１５は、このヒンジ９に支持されて開閉自在にされており、収容凹部１６に収容された閉状態では、図８に示すように、支持部材１５の表面が壁本体２の壁面４と同一面になるように設定されている。又、図１に一点鎖線で示すように、支持部材１５が開状態のときは、壁面４に対して略直角となり、この状態はステー（図示せず）によって維持される。
【００１５】
更に、この支持部材１５の底辺１５ａと斜辺との交差部付近に手掛け部１７が設けられ、この手掛け部１７の近傍に、支持部材１５の閉状態を維持する扉ロック（図示せず）が設けられている。尚、この扉ロックは手掛け部１７に設けられている解除レバー（図示せず）を押圧することで解除させることができる。
【００１６】
又、この各支持部材１５の内面に、一対の移動体としての一対のキャスタユニット１８が、底辺１５ａに沿って一定間隔を開けて各々配設されている。
【００１７】
図５、図６に示すように、この各キャスタユニット１８は、支持部材１５の内壁面に所定間隔を開けて固設されている一対の支持ブロック１９と、この支持ブロック１９間に支持されているキャスタ本体２０とを有し、キャスタ本体２０が、支持ブロック１９に支持されているキャスタ軸２１と、このキャスタ軸２１の下端に回動自在に支持されているキャスタアーム２２と、このキャスタアーム２２に回動自在に支持されている車輪２３とを有している。
【００１８】
キャスタ軸２１の上端は半円状に加工されており、その中心に軸孔２１ａが穿設されている。又、この軸孔２１ａの下方に支持軸孔２１ｂが穿設されている。軸孔２１ａにピン２４が挿通されており、このピン２４の両端が支持ブロック１９に穿設されているピン支持孔１９ａに挿通されて、キャスタ軸２１が上下方向へ回動自在に支持されている。
【００１９】
又、支持軸孔２１ｂには、支持軸２５が挿抜自在に挿通されている。支持ブロック１９には、この支持軸２５の両端を挿通支持する支持軸孔１９ｂ，１９ｃが、ピン支持孔１９ａを挟んだ上下対象な位置に穿設されている。図５、図６に示すように、壁本体２を移動させるときは、キャスタ軸２１を下方へ回動させて、支持軸２５を、キャスタ軸２１に穿設されている支持軸孔２１ｂと支持ブロック１９に穿設されている下側支持軸孔１９ｃとに挿通して支持させる。一方、キャスタ本体２０を収納するに際しては、キャスタ軸２１をピン２４を中心に上方へ回動し、図７に示すように、支持軸２５を、キャスタ軸２１に穿設されている支持軸孔２１ｂと支持ブロック１９に穿設されている上側支持軸孔１９ｂとに挿通して支持させる。
【００２０】
又、図８に示すように、支持部材１５を収容する収容凹部１６には、キャスタユニット１８を格納するキャスタ凹部１６ａが形成されており、支持部材１５を収容凹部１６に収容した際に、キャスタユニット１８がキャスタ凹部１６ａに格納されるため、支持部材１５を壁面４と同一面にすることができる。
【００２１】
次に、このような構成による移動式壁１の作用について説明する。室内７を壁本体２で仕切る場合、先ず、設置する部位の床面７ａ、及び天井面７ｂの所定位置にアンカーナット１０を埋設する。
【００２２】
その後、壁本体２の両壁面４の左右下部にそれぞれ配設されているプレート状の支持部材１５を開く。この支持部材１５を開くには、作業者は支持部材１５に設けられている手掛け部１７に手を掛け、図示しない解除レバーを押圧して、この支持部材１５の閉状態を維持している扉ロック（図示せず）を解除する。
【００２３】
そして、図１の一点鎖線で示すように、ヒンジ９に支持させた状態で支持部材１５を壁面４に対し略直角に開き、ステー（図示せず）で、その状態を維持させる。図７に示すように、各支持部材１５の内面には、キャスタユニット１８が一対ずつ設けられており、この各キャスタユニット１８に設けられているキャスタ本体２０が上方へ回動した状態で保持されている。このキャスタ本体２０を保持している支持軸２５を、支持ブロック１９に穿設されている上側支持軸孔１９ｂとキャスタ本体２０のキャスタ軸２１に穿設されている支持軸孔２１ｂとから抜去する。すると、このキャスタ本体２０がピン２４を中心に下方へ回転し、このキャスタ軸２１の端部に回動自在に支持されているキャスタアーム２２に取付けられている車輪２３が、支持部材１５の底辺１５ａから下方に突出して床面７ａに設置さされる。
【００２４】
その後、作業者は、キャスタ軸２１を支持部材１５の内面方向へ押圧すると、車輪２３が床面７ａと支持部材１５の底辺１５ａとの間に入り込み、相対的に、支持部材１５を介して壁本体２が持ち上げられる。
【００２５】
そして、キャスタ軸２１を支持部材１５の内面に押し付けると、支持ブロック１９に穿設されている下側支持軸孔１９ｃとキャスタ軸２１に穿設されている支持軸孔２１ｂとが一致し、この一致されている支持軸孔１９ｃ，２１ｂに支持軸２５を挿通して、キャスタ軸２１を支持ブロック１９に固定する。
【００２６】
これを全てのキャスタユニット１８について行い、壁本体２をキャスタユニット１８にて移動自在に支持する。
【００２７】
その後、キャスタユニット１８に支持されている壁本体２を、床面７ａと天井面７ｂとに埋設されているアンカーナット１０の位置まで移動させて所定に位置合わせする。この位置合わせは、壁本体２の上面フレーム３ｃ及び底面フレーム３ａに各々穿設されているボルト挿通孔６と、室内７の天井面７ｂ及び床面７ａに埋設されている各アンカーナット１０との位置を確認しながら行う。
【００２８】
そして、各ボルト挿通孔６を各アンカーナット１０に対して所定に位置合わせした後、各支持部材１５にキャスタ軸２１を固定している支持軸２５を抜去する。すると、このキャスタ軸２１が上方へ回動自在となるため、作業者は各キャスタ軸２１を順次上方へ回動させて車輪２３を支持部材１５の内側に没入させる。そして、キャスタ軸２１に穿設されている支持軸孔１９ｃを支持ブロック１９に穿設されている上側支持軸孔１９ｂに一致させ、そこに支持軸２５を挿通して、図７に示すように、キャスタ本体２０を上方へ回動させた待避位置で固定する。その結果、壁本体２の底面フレーム３ａが床面７ａに設置されて、壁本体２にて室内７が仕切られる。
【００２９】
そして、各支持部材１５をヒンジ９を中心に回動させて、壁面４に形成されている収容凹部１６に支持部材１５を収容し、図示しない扉ロックによりロックする。図８に示すように、収容凹部１６にはキャスタユニット１８を収容するキャスタ凹部１６ａが形成されているため、支持部材１５が閉じた状態では、この支持部材１５と壁面４とが同一面になる。
【００３０】
次いで、壁本体２の上下部に形成されているボルト螺装用孔部２ａから、上面フレーム３ｃと底面フレーム３ａとに穿設されているボルト挿通孔６に対してボルト８を挿通し、このボルト８を室内７の天井面７ｂ及び床面７ａに埋設されている各アンカーナット１０螺入し、締結させて、壁本体２を固定する（図２の状態）。次いで、壁面４に開口されているボルト螺装用孔部２ａを蓋体４ａで閉塞する。
【００３１】
その後、壁本体２の上面フレーム３ｃと室内７の天井面７ｂとの間に形成されている空隙１３に防音断熱材１４を装填する。その後、両壁面４の上部に上方隙間閉塞板１１を当接し、この各上方隙間閉塞板１１に形成されているねじ挿通溝１１ａを通して、上面フレーム３ｃにねじ部材１２を螺入して、上方隙間閉塞板１１を仮止めする（図３の状態）。
【００３２】
次いで、上方隙間閉塞板１１の上端を天井面７ｂに当接させて、防音断熱材１４を隠し、その状態で、ねじ部材１２を螺入して上方隙間閉塞板１１を壁面４に固定する（図４の状態）。
【００３３】
その結果、図４に示すように、壁本体２の底面フレーム３ａが床面７ａに載置され、又、上面フレーム３ｃと天井面７ｂとの間の空隙１３が防音断熱材１４にてが保持される。尚、この場合、壁本体２の側面フレーム３ｂと室内７の側壁７ｃとの間にも防音断熱材を充填すれば、より高い防音性、断熱性を得ることができる。
【００３４】
このように、本実施形態によれば、壁本体２に開閉自在な支持部材１５を設け、この支持部材１５にキャスタユニット１８を設け、このキャスタユニット１８に設けられている車輪２３を支持部材１５の底辺１５ａから下方へ突出自在にさせたので、壁本体２を移動させる際には支持部材１５を開き、その底辺からキャスタユニット１８の車輪２３を突出させて床面７ａに設置させることで、壁本体２を容易に移動させることができる。
【００３５】
又、壁本体２を移動させるに際しては、支持部材１５を開き、そこからキャスタユニット１８の車輪２３を下方へ突出させるようにしたので、壁本体２の壁厚が比較的薄くても、壁本体２を安定した状態で容易に移動させることができる。更に、壁本体２を所定に設置した後は、支持部材１５を壁本体２に形成した収容凹部１６に収容させると共に、この収容凹部１６に形成されているキャスタ凹部１６ａにキャスタユニット１８を収容するようにしたので、キャスタ本体２０が壁面４から突出する等、邪魔になることがなく、従って、キャビネットや書棚等を壁面４に近接させた状態で設置することができて使い勝手が良い。
【符号の説明】
【００３６】
１…移動式壁、
２…壁本体、
４…壁面、
５，１４…防音断熱材、
７…室内、
１１…上方隙間閉塞板、
１５…支持部材、
１６…収容凹部、
１６ａ…キャスタ凹部、
１８…キャスタユニット、
２３…車輪
【先行技術文献】
【特許文献】
【００３７】
【特許文献１】特開平１０−３３９０６１号公報
【図１】
2011094447.tif 000003
【図２】
2011094447.tif 000004
【図３】
2011094447.tif 000005
【図４】
2011094447.tif 000006
【図５】
2011094447.tif 000007
【図６】
2011094447.tif 000008
【図７】
2011094447.tif 000009
【図８】
2011094447.tif 000010